(57)【要約】  第１のアスペクト比を持つ表示画面（３０、４０）を含むビデオ表示装置は、第２のアスペクト比を持つビデオ画像（３２、４７）を、ビデオ画像（３２、４７）の上側及び下側又は左側及び右側のフレーム画像（３４／３６、４８／４９、５４／５６、６８／６９）と共に表示する。フレーム画像（３４／３６、４８／４９、５４／５６、６８／６９）のパターン及び／又は色は、表示画面（３０、４０）の筐体の色に合致するように予め選択されても良いし、又は最も邪魔にならないとユーザが思うものに基づいてユーザにより選択されても良い。代替として、ビデオ画像（３２、４７）の色内容に基づいて、選択回路がフレーム画像（３４／３６、４８／４９、５４／５６、６８／６９）用のパターン及び／又は色を選択しても良い。更に、ビデオ画像（３２、４７）を含む番組マテリアルが、フレーム画像（３４／３６、４８／４９、５４／５６、６８／６９）のために利用されるべきパターン及び／又は色を特定するコードを含んでも良い。
2008507162.tif 000002
【特許請求の範囲】
【請求項１】
ビデオ画像を受信する入力部と、
第１のアスペクト比を持つ表示画面であって、前記第１のアスペクト比とは異なる第２のアスペクト比で前記ビデオ画像を表示し、同時に前記ビデオ画像の上及び下、又は左及び右側に配置されたフレーム画像の対を表示するように構成された表示画面と、
前記フレーム画像のパターン及び色を選択するための選択手段と、
を有する表示装置。
【請求項２】
前記選択手段は、前記フレーム画像用の色データ及びパターンデータの少なくとも一方を保存するためのメモリを有する、請求項１に記載の装置。
【請求項３】
前記メモリは、前記表示画面の筐体の色に対応する色データを保存する、請求項２に記載の装置。
【請求項４】
前記選択手段は、前記フレーム画像用の色データ及びパターンデータの少なくとも一方を選択するためのユーザ入力部を有する、請求項１に記載の装置。
【請求項５】
前記ユーザ入力部はリモートコントローラユニットを有する、請求項１に記載の装置。
【請求項６】
前記選択手段は、前記ビデオ画像の色内容に基づいて、前記フレーム画像用の色データ及びパターンデータの少なくとも一方を選択するためのフレーム画像選択回路を有する、請求項１に記載の装置。
【請求項７】
前記入力部は、前記ビデオ画像と共に表示されるべき前記フレーム画像のパターン及び色を特定する色コードを受信するように構成された、請求項１に記載の装置。
【請求項８】
ビデオ画像を表示する方法であって、
前記ビデオ画像を受信するステップと、
第１のアスペクト比を持つ表示画面に、前記第１のアスペクト比とは異なる第２のアスペクト比で前記ビデオ画像を表示し、同時に前記ビデオ画像の上及び下、又は左及び右側に配置されたフレーム画像の対を表示するステップと、
前記フレーム画像のパターン及び色を選択するステップと、
を有する方法。
【請求項９】
前記フレーム画像のパターン及び色を選択するステップは、前記表示画面の筐体の色に対応する色を選択するステップを有する、請求項８に記載の方法。
【請求項１０】
前記フレーム画像のパターン及び色を選択するステップは、ユーザ入力に応じて、前記フレーム画像用の色データ及びパターンデータの少なくとも一方を選択するステップを有する、請求項８に記載の方法。
【請求項１１】
前記フレーム画像のパターン及び色を選択するステップは、前記ビデオ画像の色内容に基づいて、前記フレーム画像用の色データを選択するステップを有する、請求項８に記載の方法。
【請求項１２】
前記フレーム画像用の色データ及びパターンデータの少なくとも一方を保存するステップを更に有する、請求項８に記載の方法。
【請求項１３】
前記色データは前記表示画面の筐体の色に対応する、請求項１２に記載の方法。
【請求項１４】
ビデオ画像を表示する方法であって、
前記ビデオ画像を受信するステップと、
少なくとも１つのコードを受信するステップと、
第１のアスペクト比を持つ表示画面に、前記第１のアスペクト比とは異なる第２のアスペクト比で前記ビデオ画像を表示し、同時に前記ビデオ画像の上及び下、又は左及び右側に配置されたフレーム画像の対を表示するステップと、
を有し、前記フレーム画像のパターン及び色の少なくとも一方が前記受信されたコードに対応する方法。
【請求項１５】
前記コードは前記ビデオ画像の色内容に基づく、請求項１４に記載の方法。
【発明の詳細な説明】
【技術分野】
【０００１】
本発明は、ビデオモニタ及びテレビジョン受信器のようなビデオ表示装置に関し、更に詳細には、ビデオ表示装置のアスペクト比とは異なるアスペクト比を持つビデオ画像を表示するシステム及び方法に関する。
【背景技術】
【０００２】
従来、ビデオモニタ及びテレビジョン受信器のようなビデオ表示装置の大部分は、４：３のアスペクト比を持つ表示画面で構成されてきた。それ故、ここ１０年前まで、ビデオ番組マテリアル、及びとりわけテレビジョン番組マテリアルの大部分もまた、４：３のアスペクト比を持つ従来の形式で生成されてきた。しかしながら、高品位テレビジョン及び高精細度テレビジョン表示装置等の出現に伴い、表示画面が１６：９のアスペクト比の所謂「ワイドスクリーン形式」を持つビデオディスプレイが、近年ますます多く製造されている。結果として、１６：９のアスペクト比のワイドスクリーン形式を持つ、ますます多くのビデオ番組マテリアルが製作されている。
【０００３】
従って現在、４：３のアスペクト比を持つ従来形式のビデオ番組マテリアルが大量に存在し、同時に１６：９のアスペクト比を持つワイドスクリーン形式のビデオ番組マテリアルが増大している。更に、視聴者は現在、４：３のアスペクト比を持つ表示画面と、１６：９のアスペクト比を持つ表示画面とにおいて、両方の形式で番組マテリアルを受信又はさもなければ表示している。
【発明の開示】
【発明が解決しようとする課題】
【０００４】
従来の形式（４：３のアスペクト比）を持つビデオ番組マテリアルが、「ワイドスクリーン」の１６：９のアスペクト比を持つ表示画面に表示される場合、互換性の問題が生じる。同様に、ワイドスクリーン形式（１６：９のアスペクト比）を持つビデオ番組マテリアルが、従来の４：３のアスペクト比を持つ画面に表示される場合にも、互換性の問題が生じる。従来は、これらの互換性の問題は、表示画面の一部が「暗く残され」、暗い帯を生成することに帰着していた。
【０００５】
図１は、ワイドスクリーン（１６：９）形式を持つビデオ番組を、４：３のアスペクト比を持つ従来の表示画面１０に表示するための、従来の方法を示す。ワイドスクリーン１６：９形式のビデオ画像１２は、表示画面１０の横方向に水平に延在するが、表示画面１０の上部及び底部に、画像が再生されない暗い水平方向の帯１４及び１６を残す。帯１４及び１６は、表示装置の「本体の色」のままとされ、例えば典型的な陰極線管では、略黒である。
【０００６】
一方、図２は、従来の４：３形式を持つビデオ番組を、１６：９のアスペクト比を持つワイドスクリーン形式表示画面１５に表示するための、従来の方法を示す。４：３形式のビデオ画像１７は、表示画面１５の上部から底部へと鉛直に延在するが、表示画面１５の左側及び右側に、画像が再生されない暗い鉛直方向の帯１８及び１９を残す。ここでもまた、帯１８及び１９は、表示装置の「本体の色」のままとされ、例えば典型的な陰極線管では、略黒である。
【０００７】
不運にも、これらの暗い水平方向又は鉛直方向の帯は、視聴者にとって邪魔で不快なものとなり得る。該暗い、略黒色の帯は一般に、表示される画像、表示画面を保持するキャビネットの縁の色、又は表示画面が配置された部屋の周囲の環境と、調和したものではない。
【０００８】
従って、表示画面とビデオ画像との間のアスペクト比の不整合により、ビデオ画像をアクティブに表示するために利用されていない表示画面の部分の、色及び／又はパターンを調節するための方法及びシステムを提供することが望ましい。
【課題を解決するための手段】
【０００９】
本発明の一態様によれば、表示装置が、ビデオ画像を受信する入力部と、第１のアスペクト比を持つ表示画面であって、前記第１のアスペクト比とは異なる第２のアスペクト比で前記ビデオ画像を表示し、同時に前記ビデオ画像の上及び下、又は左及び右側に配置されたフレーム画像の対を表示するように構成された表示画面と、前記フレーム画像のパターン及び色を選択するための手段と、を有する。
【００１０】
本発明の他の態様によれば、ビデオ画像を表示する方法が、前記ビデオ画像を受信するステップと、第１のアスペクト比を持つ表示画面に、前記第１のアスペクト比とは異なる第２のアスペクト比で前記ビデオ画像を表示し、同時に前記ビデオ画像の上及び下、又は左及び右側に配置されたフレーム画像の対を表示するステップと、前記フレーム画像のパターン及び色を選択するステップと、を有する。
【００１１】
本発明の更に他の態様によれば、ビデオ画像を表示する方法が、前記ビデオ画像を受信するステップと、少なくとも１つのコードを受信するステップと、第１のアスペクト比を持つ表示画面に、前記第１のアスペクト比とは異なる第２のアスペクト比で前記ビデオ画像を表示し、同時に前記ビデオ画像の上及び下、又は左及び右側に配置されたフレーム画像の対を表示するステップと、を有し、前記フレーム画像のパターン及び色の少なくとも一方が前記受信されたコードに対応する。
【発明を実施するための最良の形態】
【００１２】
図３は、本発明の１以上の態様による、１６：９形式を持つビデオ番組を表示する、ビデオ入力２０と４：３のアスペクト比を持つ表示画面３０とを含む表示装置の第１の実施例を示す。ビデオ画像３２は１６：９のアスペクト比を持ち、表示画面３０の幅方向に水平に延在する。表示画面３０の上部及び底部には、フレーム画像３４及び３６の対が、ビデオ画像３２に隣接して表示される。即ち、フレーム画像３４及び３６のエリアにおける表示画面３０の画素は、望ましい色を表示するように実際にアクティブにされ駆動される。表示画面３０は、陰極線管、直視型液晶ディスプレイ（ＬＣＤ）パネル、プラズマディスプレイパネル、エレクトロルミネッセント装置、プロジェクタ（ＬＣＤ又はＬＣＯＳ（liquid crystal on silicon）プロジェクタ）の画面等を有しても良い。有利にも、前記フレーム画像のデータは、前記表示装置のビデオ又はデータ駆動回路に供給される前に、前記ビデオ画像と適切に組み合わせられる。
【００１３】
第１の態様においては、フレーム画像３４及び３６の色が、前記表示装置をエンドユーザに供給する前のどこかの時点において、前記表示装置のメモリ７０に予め保存される。この場合、有利にも、フレーム画像３４及び３６の色は、表示画面３０を収容する前記表示装置の筐体又はハウジングの色と合致するように選択され得る。
【００１４】
第２の態様においては、フレーム画像３４及び３６の色は、前記表示装置のユーザ入力部８０によって選択される。ユーザ入力部８０は、前記表示装置用のリモートコントローラユニットを有しても良い。この場合ユーザは、表示画像３０が配置された壁又は部屋の背景と合致した又は調和のとれた色を選択し得る。有利にも、ユーザにより該ユーザのリモートコントローラユニットによって選択され得る種々の色を該ユーザに提供するため、メニュー駆動型のシステムが利用されても良い。代替として、前記リモートコントローラユニットは、ユーザが予め選択されたパレットから所望の色を選択するための、種々のプリセットボタンを含んでも良い。
【００１５】
第３の態様においては、フレーム画像３４及び３６の色は、フレーム画像選択回路９０によって、ビデオ画像３２の色内容に基づいて、自動的に及び動的に調節される。例えば、ビデオ画像３２が多くの緑色を含む自然の場面又はスポーツイベントを表示している場合、前記フレーム画像も同様に緑色を持つように該番組マテリアルによって制御されても良い。ビデオ画像３２を処理しフレーム画像３４及び３６のための色を生成するため、種々の手法が利用され得る。有利にも、ビデオ画像３２の平均的な色の点が決定され（フレーム毎に決定されても良いし、又は幾つかのフレームに亘って平均を取られても良い）、前記表示装置が当該色の点を用いてフレーム画像３４及び３６の画素の色を決定しても良い。
【００１６】
第４の態様においては、ビデオ画像３２を含む元の番組マテリアルが、フレーム画像３４及び３６に用いられるべき色を特定する色コードを含む。斯かる方法は、前記番組マテリアルが、高品位テレビジョン（ＡＴＶ）又はディジタルテレビジョン（ＤＴＶ）信号のようなディジタルビデオ信号である場合には、簡単に容易化される。前記色コードは、ビデオ番組が生成されるとき、ビデオ番組が記録可能な媒体に保存されるとき等に、ビデオ画像３２の色内容に基づき選択されても良い。
【００１７】
図４は、本発明の１以上の態様による、４：３形式を持つビデオ番組を表示する、ビデオ入力２０と１６：９のアスペクト比を持つ表示画面４０とを含む表示装置の第１の実施例を示す。ビデオ画像４７は４：３のアスペクト比を持ち、表示画面４０の上部から底部へと鉛直方向に延在する。表示画面４０の左側及び右側には、フレーム画像４８及び４９の対が、ビデオ画像４７に隣接して表示される。即ち、フレーム画像４８及び４９のエリアにおける表示画面４０の画素は、望ましい色を表示するように実際にアクティブにされ駆動される。表示画面４０は、陰極線管、直視型液晶ディスプレイ（ＬＣＤ）パネル、プラズマディスプレイパネル、エレクトロルミネッセント装置、ＬＣＤ又はＬＣＯＳ（liquid crystal on silicon）プロジェクタのようなプロジェクタの画面等を有しても良い。
【００１８】
図４の表示装置は、図３の表示装置に関して上述された４つの態様のいずれで動作しても良い。従って、簡潔さのため、これらの態様はここでは繰り返し説明されない。
【００１９】
幾つかの場合において、前記フレーム画像が、均一な色の代わりにパターンを表示することが有利となり得る。例えば、前記ビデオ画像に隣接する部分が前記ビデオ画像において優勢な色を呈し、前記表示画面の端に隣接する部分が前記表示画面を収容する筐体と同じ色を呈するように、徐々に変化する色の勾配プロファイルを前記フレーム画像が呈することが望ましいことである得る。
【００２０】
図５は、１６：９形式を持つビデオ番組を表示する、４：３のアスペクト比を持つ表示画面３０を含む表示装置の第２の実施例を示す。ビデオ画像３２は１６：９のアスペクト比を持ち、表示画面３０の幅方向に水平に延在する。表示画面３０の上部及び底部には、フレーム画像５４及び５６の対が、ビデオ画像３２に隣接して表示される。即ち、フレーム画像５４及び５６のエリアにおける表示画面３０の画素は、望ましい色を表示するように実際にアクティブにされ駆動される。
【００２１】
第１の態様においては、フレーム画像５４及び５６のパターン及び色は、前記表示装置をエンドユーザに供給する前のどこかの時点において、前記表示装置のメモリ７０に予め保存される。
【００２２】
第２の態様においては、フレーム画像５４及び５６のパターン及び色は、前記表示装置のユーザ入力部８０によって選択される。ユーザ入力部８０は、前記表示装置用のリモートコントローラユニットを有しても良い。この場合、ユーザは最も邪魔でなく不快でないとユーザが思うパターン及び色を選択しても良い。有利にも、ユーザにより該ユーザのリモートコントローラユニットにより選択され得る種々のパターン及び色を該ユーザに提供するため、メニュー駆動型のシステムが、利用されても良い。代替として、前記リモートコントローラユニットは、ユーザが予め選択された集合から所望のパターン及び所望の色を選択するための、種々のプリセットボタンを含んでも良い。
【００２３】
第３の態様においては、フレーム画像５４及び５６のパターン及び色は、フレーム画像選択ユニット９０によって、ビデオ画像３２の色内容に基づいて、自動的に及び動的に調節される。例えば、ビデオ画像３２が、多くの緑色を含む自然の場面又はスポーツイベントを表示している場合、前記ビデオ画像に隣接する部分が緑色を呈し、前記表示画面の端に隣接する部分が前記表示画面を収容する筐体と同じ色を呈するように、徐々に変化する色の勾配プロファイルを前記フレーム画像が呈するように該番組マテリアルによって前記フレーム画像が制御されても良い。ビデオ画像３２を処理しフレーム画像５４及び５６のための色を生成するため、種々の手法が利用され得る。有利にも、ビデオ画像３２の平均的な色の点が決定され（フレーム毎に決定されても良いし、又は幾つかのフレームに亘って平均を取られても良い）、前記表示装置が当該色の点を用いてフレーム画像５４及び５６の画素の色を決定しても良い。
【００２４】
第４の態様においては、フレーム画像５４及び５６のパターン及び色は、ビデオ画像３２を含む元の番組マテリアルが、フレーム画像５４及び５６に用いられるべきパターン及び色を特定するパターンコード及び１以上の色コードをも含む。斯かる方法は、前記番組マテリアルが、高品位テレビジョン（ＡＴＶ）又はディジタルテレビジョン（ＤＴＶ）信号のようなディジタルビデオ信号である場合には、簡単に容易化される。前記パターン及び色コードは、ビデオ番組が生成されるとき、ビデオ番組が記録可能な媒体に保存されるとき等に、ビデオ画像３２の色内容に基づき選択されても良い。
【００２５】
図６は、本発明の１以上の態様による、４：３形式を持つビデオ番組を表示する、１６：９のアスペクト比を持つ表示画面を含む表示装置の第２の実施例を示す。ビデオ画像４７は４：３のアスペクト比を持ち、表示画面４０の上部から底部へと鉛直方向に延在する。表示画面４０の左側及び右側には、フレーム画像６８及び６９の対が、ビデオ画像４７に隣接して表示される。即ち、フレーム画像６８及び６９のエリアにおける表示画面４０の画素は、望ましい色を表示するように実際にアクティブにされ駆動される。
【００２６】
図６の表示装置は、図５の表示装置に関して上述された４つの態様のいずれで動作しても良い。従って、簡潔さのため、これらの態様はここでは繰り返し説明されない。
【００２７】
実施例がここで開示されたが、本発明の概念及び範囲内に留まる多くの変形例が可能である。斯かる変形例は、本明細書、図面及び請求項を閲覧すれば、通常の当業者には明らかとなるであろう。本発明はそれ故、添付された請求項の精神及び範囲を除いて限定されるべきものではない。
【図面の簡単な説明】
【００２８】
【図１】１６：９形式を持つビデオ番組を表示する、４：３のアスペクト比を持つ表示画面を示す。
【図２】４：３形式を持つビデオ番組を表示する、１６：９のアスペクト比を持つ表示画面を示す。
【図３】本発明の１以上の態様による、１６：９形式を持つビデオ番組を表示する、４：３のアスペクト比を持つ表示画面を含む表示装置の第１の実施例を示す。
【図４】本発明の１以上の態様による、４：３形式を持つビデオ番組を表示する、１６：９のアスペクト比を持つ表示画面を含む表示装置の第１の実施例を示す。
【図５】本発明の１以上の態様による、１６：９形式を持つビデオ番組を表示する、４：３のアスペクト比を持つ表示画面を含む表示装置の第２の実施例を示す。
【図６】本発明の１以上の態様による、４：３形式を持つビデオ番組を表示する、１６：９のアスペクト比を持つ表示画面を含む表示装置の第２の実施例を示す。
【図１】
2008507162.tif 000003
【図２】
2008507162.tif 000004
【図３】
2008507162.tif 000005
【図４】
2008507162.tif 000006
【図５】
2008507162.tif 000007
【図６】
2008507162.tif 000008
【国際調査報告】
2008507162.tif 000009
2008507162.tif 000010
2008507162.tif 000011